(57)【要約】  【課題】  加熱手段の起動や停止の頻度が低く、エネルギー効率の高い熱源装置の提供を目的とする。  【解決手段】  熱源装置１は、加熱手段２４において加熱された湯水を貯留タンク２に対して貯留する貯湯動作と、加熱手段２４において加熱された湯水を負荷端末３０に供給する暖房動作と、貯留タンク２に貯留されている湯水を外部に排出する給湯動作とを行うことができる。制御装置６は、熱源装置１の過去の動作履歴に基づいて将来における各動作の時期や各動作によって消費される熱エネルギー量を予測する。制御装置６は、貯湯動作の完了時を基準とする所定の期間に暖房動作が行われることが予測される場合に、予定通り暖房動作が行われた際に負荷端末３０に供給されると想定される湯水の量だけ貯湯動作における目標貯湯量を減少させる目標貯湯量調整動作を行う。【選択図】  図１
2006250402.tif 000002
【特許請求の範囲】
【請求項１】
液体を加熱する加熱手段と、当該加熱手段において発生した熱エネルギーを液体を介して貯留する貯留手段と、前記加熱手段において加熱された液体を介して熱エネルギーの供給を受けて動作する負荷端末と、制御手段とを具備し、
貯留手段に貯留されている液体を外部に排出する排出動作モードと、
加熱手段において所定温度に達するまで加熱された液体を貯留する貯留動作モードと、
加熱手段を動作させつつ、当該加熱手段の動作に伴って加熱された液体を負荷端末に供給する負荷動作モードとを含む複数の動作モードから一又は複数の動作モードを選択して動作可能であり、
制御手段が、過去における熱負荷の変動に基づいて将来の熱負荷の変動を予測する予測動作を行うと共に、前記貯留動作モードの完了後に行われる排出動作モードにおける排出予定量に基づいて貯留予定量を設定し、当該貯留予定量に基づいて貯留動作モードにおける目標貯留量を設定するものであり、以下の条件（１）および（２）を満足することを条件として目標貯留量調整動作を行い、目標貯留量を前記貯留予定量よりも少なく設定することを特徴とする熱源装置。
（１）  貯留動作モードの完了時を基準とする所定の期間内において負荷動作モードによる動作が行われることが予測される。
（２）  （１）の負荷動作モードにおいて本来であれば負荷端末に供給される予定の液体を負荷端末に供給せず貯留手段に貯留すると仮定した場合に、貯留手段においてエネルギーの貯留限界を超えるものと予測される。
【請求項２】
液体を加熱する加熱手段と、当該加熱手段において発生した熱エネルギーを液体を介して貯留する貯留手段と、前記加熱手段において加熱された液体を介して熱エネルギーの供給を受けて動作する負荷端末と、制御手段とを具備し、
加熱手段において所定温度に達するまで加熱された液体を貯留する貯留動作モードと、
当該貯留動作モードを経て貯留手段に貯留された液体を外部に排出する排出動作モードと、
加熱手段を動作させつつ、当該加熱手段において加熱された液体を負荷端末に供給する負荷動作モードとを含む複数の動作モードから一又は複数の動作モードを選択して動作可能であり、
制御手段が、過去における熱負荷の変動に基づいて将来の熱負荷の変動を予測する予測動作を行うと共に、前記貯留動作モードの完了後に行われる排出動作モードにおける排出予定量に基づいて貯留予定量を設定し、当該貯留予定量に基づいて貯留動作モードにおける目標貯留量を設定するものであり、以下の条件（１）および（２）を満足することを条件として目標貯留量調整動作を行い、目標貯留量を前記貯留予定量よりも少なく設定することを特徴とする熱源装置。
（１）  排出動作モードの開始前までに負荷動作モードでの動作が開始されることが予測される。
（２）  （１）の負荷動作モードにおいて本来であれば負荷端末に供給される予定の液体を負荷端末に供給せず貯留手段に貯留すると仮定した場合に、貯留手段においてエネルギーの貯留限界を超えるものと予測される。
【請求項３】
加熱手段は所定の予備運転の後に所定のエネルギー効率に到達するものであり、
目標貯留量調整動作は、加熱手段の起動から停止までの期間における平均エネルギー効率が所定の基準エネルギー効率を超えるまで加熱手段を動作させたと仮定した場合、当該加熱手段の動作に伴って発生すると想定される所定温度の液体の量として調整貯湯量を設定し、貯留予定量から前記調整貯湯量に相当する量を減少させることによって目標貯留量を設定する動作であることを特徴とする請求項１又は２に記載の熱源装置。
【請求項４】
貯留予定量が貯留手段の貯留容量を基準として所定の範囲内であることを条件として目標貯留量調整動作が行われることを特徴とする請求項１乃至３のいずれかに記載の熱源装置。
【請求項５】
目標貯留量調整動作は、条件（１）において行われると予測されている負荷動作モードでの動作に伴って発生すると想定される熱エネルギー量が所定の調整基準エネルギー量以上であることを条件として行われる動作であり、
調整基準エネルギー量は、前記負荷動作モードにおいて本来であれば負荷端末に供給されるべき液体が貯留手段に導入されたと仮定した場合に、当該液体の導入に伴って貯留手段の外部に排出される液体が持つ熱エネルギー以上であることを特徴とする請求項１乃至４のいずれかに記載の熱源装置。
【請求項６】
加熱手段が、以下の条件（１）および（２）のうち（１）のみを満足することを動作禁止条件とし、以下の（２）を満足することを条件として動作が許可されることを特徴とする請求項１乃至５のいずれかに記載の熱源装置。
（１）  貯留手段に貯留されている所定温度以上の液体の残量が所定量以上である。
（２）  （１）の状態において負荷動作モードでの動作開始要求があり、当該動作開始要求に伴って負荷動作モードでの動作を開始すると仮定した場合に、負荷端末に供給される液体の熱エネルギー量が所定の解除基準エネルギー量を超えるものと想定される。
【請求項７】
液体を加熱する加熱手段と、当該加熱手段において発生した熱エネルギーを液体を介して貯留する貯留手段と、前記加熱手段において加熱された液体を介して熱エネルギーの供給を受けて動作する負荷端末と、制御手段とを具備し、
加熱手段において所定温度に達するまで加熱された液体を貯留手段に貯留する貯留動作モードと、
貯留手段に貯留されている液体を外部に排出する排出動作モードと、
加熱手段を動作させつつ、当該加熱手段において加熱された液体を負荷端末に供給する負荷動作モードとを含む複数の動作モードから一又は複数の動作モードを選択して動作可能であり、
制御手段が、過去における熱負荷の変動に基づいて将来の熱負荷の変動を予測する予測動作を行うものであり、
加熱手段が、以下の条件（１）および（２）のうち（１）のみを満足することを動作禁止条件とし、以下の（２）を満足することを条件として動作が許可されることを特徴とする熱源装置。
（１）  貯留手段に貯留されている所定温度以上の液体の残量が所定量以上である。
（２）  （１）の状態において負荷動作モードでの動作開始要求があり、当該動作開始要求に伴って負荷動作モードでの動作を開始すると仮定した場合に、負荷端末に供給される液体の熱エネルギー量が所定の解除基準エネルギー量を超えるものと想定される。
【請求項８】
解除基準エネルギー量が、加熱手段を作動させることによって発生する熱エネルギー量であることを特徴とする請求項６又は７に記載の熱源装置。
【請求項９】
加熱手段が、排熱を利用して湯水を加熱するものであることを特徴とする請求項１乃至８のいずれかに記載の熱源装置。
【発明の詳細な説明】
【技術分野】
【０００１】
本発明は、湯水を貯留する貯留タンクを具備した熱源装置に関する。
【背景技術】
【０００２】
従来より、下記特許文献１に開示されている熱源装置のように、湯水（液体）を貯留する貯留手段を有し、この貯留手段に加熱手段において加熱された湯水を貯留する貯留型熱源装置がある。この種の熱源装置の多くは、熱源において加熱され貯留手段に貯留された湯水を外部に供給する給湯系統と、熱源において加熱された湯水を暖房等の負荷端末に供給する負荷系統とを備えた構成とされている。
【特許文献１】特開２００３−１３０４５９号公報
【発明の開示】
【発明が解決しようとする課題】
【０００３】
従来技術の熱源装置では、負荷端末の運転に伴って湯水を供給すべく加熱手段を動作させた際に、負荷端末において消費される熱エネルギー量が加熱手段の動作に伴って発生する熱エネルギー量よりも小さい場合に発生する余剰の湯水を貯留手段に貯留し、熱エネルギーの浪費を防止する構成とされている。そのため、従来技術の熱源装置の多くは、省エネルギーの観点から、加熱手段の動作を最小限に抑制するために貯留手段に所定温度以上の湯水が満杯となるまで貯留されていることを条件として加熱手段の動作を停止させる構成とされている。従って、従来技術の熱源装置は、負荷端末において消費される熱エネルギー量が加熱手段の動作によって発生する熱エネルギー量以上となり、余剰の熱エネルギー量が発生しない場合であっても加熱手段の動作が停止する構成とされていた。
【０００４】
上記したように、従来技術の熱源装置は、負荷端末において大きな熱エネルギー量の消費がある場合であっても貯留手段に高温の湯水を貯留する余裕がないと加熱手段の動作が停止し、負荷端末への湯水の供給が滞ってしまうという問題があった。
【０００５】
ここで、従来技術の熱源装置では、加熱手段としてエンジンや燃料電池のような装置を採用し、これらの装置において発生した排熱を利用して湯水を加熱する構成を採用したものが多数存在する。このような加熱手段は、暖機運転を行うなどせねばならず、起動直後のエネルギー効率が低いものが多い。そのため、前記のような加熱手段を採用した熱源装置において十分なエネルギー効率を確保するためには、加熱手段の起動や停止の頻度を抑制することが望ましい。しかし、従来技術の熱源装置は、貯留手段に貯留されている高温の湯水の残量に応じて熱源装置が起動、停止する構成であるため、貯留手段に貯留されている湯水の使用状況等によって加熱手段が頻繁に起動や停止を繰り返し、エネルギー効率が低下する可能性が高いという問題があった。
【０００６】
そこで、上記した問題を解決すべく、本発明は、加熱手段の起動や停止の頻度が低く、エネルギー効率の高い熱源装置の提供を目的とする。
【課題を解決するための手段】
【０００７】
そこで、上記した課題を解決すべく提供される請求項１に記載の発明は、液体を加熱する加熱手段と、当該加熱手段において発生した熱エネルギーを液体を介して貯留する貯留手段と、前記加熱手段において加熱された液体を介して熱エネルギーの供給を受けて動作する負荷端末と、制御手段とを具備し、貯留手段に貯留されている液体を外部に排出する排出動作モードと、加熱手段において所定温度に達するまで加熱された液体を貯留する貯留動作モードと、加熱手段を動作させつつ、当該加熱手段の動作に伴って加熱された液体を負荷端末に供給する負荷動作モードとを含む複数の動作モードから一又は複数の動作モードを選択して動作可能であり、制御手段が、過去における熱負荷の変動に基づいて将来の熱負荷の変動を予測する予測動作を行うと共に、前記貯留動作モードの完了後に行われる排出動作モードにおける排出予定量に基づいて貯留予定量を設定し、当該貯留予定量に基づいて貯留動作モードにおける目標貯留量を設定するものであり、以下の条件（１）および（２）を満足することを条件として目標貯留量調整動作を行い、目標貯留量を前記貯留予定量よりも少なく設定することを特徴とする熱源装置である。
（１）  貯留動作モードの完了時を基準とする所定の期間内において負荷動作モードによる動作が行われることが予測される。
（２）  （１）の負荷動作モードにおいて本来であれば負荷端末に供給される予定の液体を負荷端末に供給せず貯留手段に貯留すると仮定した場合に、貯留手段においてエネルギーの貯留限界を超えるものと予測される。
【０００８】
上記したような構成の熱源装置では、貯留手段に対して排出動作モードにおける排出予定量に基づいて設定された貯留予定量だけ貯留されていると、加熱手段の動作に伴って高温の液体が余剰に発生しても貯留手段に貯留できない可能性がある。そのため、貯留手段に高温の液体を貯留する余裕がない場合であって、負荷動作モードによる熱エネルギーの消費があると予測されていたにもかかわらず、実際のエネルギー消費量が予測よりも少ない場合は、加熱手段を動作させても高温の液体を貯留できず、熱エネルギーを浪費してしまう可能性がある。従って、貯留動作モードの完了後に所定温度以上の液体をさらに貯留する余裕がない場合であって、負荷動作モードによる熱エネルギーの消費量が予測よりも少なかったり、負荷動作モードによる動作が行われない場合は、熱エネルギーの浪費を最小限に食い止めるべく加熱手段を停止せざるを得ない。
【０００９】
ここで、上記したように、一般的に使用されている加熱手段の多くは、起動や停止を繰り返すとエネルギー効率が低下する傾向にある。そのため、熱源装置におけるエネルギー効率を改善するためには、貯留動作モードの完了後において負荷動作モードでの動作が行われると想定される場合に、仮にこの負荷動作モードでの動作によって消費される熱エネルギー量が予測よりも少なくても加熱手段の起動や停止の頻度が最小限となるように制御されることが望ましい。
【００１０】
そこで、かかる知見に基づき、本発明の熱源装置は、貯留動作の完了時を基準とする所定の期間内に負荷動作モードによる熱エネルギーの消費が想定される場合に、目標貯留量調整動作を行い、貯留動作モードの完了時における目標貯留量を排出動作モードでの排出予定量に基づいて設定される貯留予定量よりも少なく設定する構成とされている。そのため、貯留手段に高温の液体を貯留した後に行われる予定であった負荷動作モードが行われなかったり、この負荷動作モードで実際に消費される熱エネルギー量が予定よりも少ない場合であっても、加熱手段の動作によって発生した熱エネルギーを液体を介して貯留手段に貯留しておくことができ、エネルギー効率の低下を阻止できる。
【００１１】
また、上記したように、本発明の熱源装置は、貯留動作モードの完了後に行われる予定であった負荷動作モードの有無や負荷動作モードでの消費エネルギーの大小にかかわらず加熱手段の起動や停止の頻度を最小限に抑制できる。そのため、本発明の熱源装置は、加熱手段の起動や停止に伴うエネルギーロスが少なく、エネルギー効率が高い。
【００１２】
また、同様の知見に基づいて提供される請求項２に記載の発明は、液体を加熱する加熱手段と、当該加熱手段において発生した熱エネルギーを液体を介して貯留する貯留手段と、前記加熱手段において加熱された液体を介して熱エネルギーの供給を受けて動作する負荷端末と、制御手段とを具備し、加熱手段において所定温度に達するまで加熱された液体を貯留する貯留動作モードと、当該貯留動作モードを経て貯留手段に貯留された液体を外部に排出する排出動作モードと、加熱手段を動作させつつ、当該加熱手段において加熱された液体を負荷端末に供給する負荷動作モードとを含む複数の動作モードから一又は複数の動作モードを選択して動作可能であり、制御手段が、過去における熱負荷の変動に基づいて将来の熱負荷の変動を予測する予測動作を行うと共に、前記貯留動作モードの完了後に行われる排出動作モードにおける排出予定量に基づいて貯留予定量を設定し、当該貯留予定量に基づいて貯留動作モードにおける目標貯留量を設定するものであり、以下の条件（１）および（２）を満足することを条件として目標貯留量調整動作を行い、目標貯留量を前記貯留予定量よりも少なく設定することを特徴とする熱源装置である。
（１）  排出動作モードの開始前までに負荷動作モードでの動作が開始されることが予測される。
（２）  （１）の負荷動作モードにおいて本来であれば負荷端末に供給される予定の液体を負荷端末に供給せず貯留手段に貯留すると仮定した場合に、貯留手段においてエネルギーの貯留限界を超えるものと予測される。
【００１３】
かかる構成によれば、貯留手段に高温の液体を貯留した後に行われる予定であった負荷動作モードが行われなかったり、この負荷動作モードで実際に消費される熱エネルギー量が予定よりも少ない場合であっても、加熱手段の動作によって発生した熱エネルギーを液体を介して貯留手段に貯留しておくことができる。
【００１４】
また、本発明の熱源装置は、予測に反して負荷動作モードが行われなかった場合であっても、この負荷動作モードで負荷端末に供給されるはずであった液体を貯留手段に貯留することができる。従って、本発明の熱源装置は、予測に反して負荷動作モードによる動作が中止された場合であっても加熱手段の動作を継続させることができ、加熱手段の起動や停止に伴うエネルギーロスを最小限に抑制できる。
【００１５】
ここで、上記したように、加熱手段として採用可能なものには、起動直後のエネルギー効率が低く、ある程度運転を継続しないと十分なエネルギー効率を達成できないものがある。そのため、この種の加熱手段を採用した熱源装置では、加熱手段の起動や停止の頻度がなるべく少ないことが望ましい。
【００１６】
そこで、かかる知見に基づいて提供される請求項３に記載の発明は、加熱手段が所定の予備運転の後に所定のエネルギー効率に到達するものであり、目標貯留量調整動作が、加熱手段の起動から停止までの期間における平均エネルギー効率が所定の基準エネルギー効率を超えるまで加熱手段を動作させたと仮定した場合、当該加熱手段の動作に伴って発生すると想定される所定温度の液体の量として調整貯湯量を設定し、貯留予定量から前記調整貯湯量に相当する量を減少させることによって目標貯留量を設定する動作であることを特徴とする請求項１又は２に記載の熱源装置である。
【００１７】
本発明の熱源装置では、加熱手段を起動して湯水の加熱を開始した後、加熱手段におけるエネルギー効率がある所定の基準エネルギー効率に達するまでの間は少なくとも加熱手段の動作を継続させることができる。そのため、本発明の熱源装置は、加熱手段の起動や停止に伴うエネルギーロスが殆ど発生せず、エネルギー効率が優れている。
【００１８】
ここで、上記した熱源装置では、目標貯留量調整動作を行うことにより目標貯留量を設定する構成とされているが、貯留手段の貯留容量に対して貯留予定量が少ない場合は、目標貯留量の調整を行わないまま加熱手段が動作しても、これにより加熱された湯水を貯留手段に貯留できることがある。このような場合は、目標貯留量を調整しなくても加熱手段において加熱された液体をむやみに放出してしまうといった不具合が起こらない。
【００１９】
一方、貯留予定量が少ない場合は、排出動作モードに備えて用意しておくべき所定温度の液体の貯留量に対して目標貯留量の調整によって減少する貯留量の割合が増えるため、負荷動作モードが予定通りに行われると、目標貯留量が排出動作モードにおいて必要とされる高温の液体の量（排出予定量）に比べてかなり少なくなる。そのため、このような場合は、湯水の不足量を補うべく排出動作モードの開始前や開始後に加熱手段を起動して高温の液体を貯留手段に補充する必要が生じるが、この補充速度が排出動作モードにおける液体の排出速度に比べて遅いと排出動作モードの途中で高温の液体が不足してしまう可能性がある。すなわち、貯留予定量が貯留手段の貯留容量と同等あるいは貯留容量に近い場合は、不意に負荷動作モードが行われないこととなった場合のエネルギー効率の低下が懸念され、貯留予定量が貯留手段の貯留容量に比べて十分少ない場合は、目標貯留量調整動作に伴う高温の液体の貯留量不足が懸念される。
【００２０】
そこで、かかる知見に基づいて提供される請求項４に記載の発明は、貯留予定量が貯留手段の貯留容量を基準として所定の範囲内であることを条件として目標貯留量調整動作が行われることを特徴とする請求項１乃至３のいずれかに記載の熱源装置である。
【００２１】
本発明の熱源装置は、貯留予定量が貯留手段の貯留容量を基準として所定の範囲内にあり、目標貯留量の調整を行わないまま加熱手段が動作すると加熱された液体が放出され、エネルギーロスが発生すると想定される場合に限って目標貯留量が調整される。そのため、本発明の熱源装置は、貯留予定量が貯留手段の貯留容量に近い場合であって、予測されていた負荷動作モードによる動作が行われない場合であっても加熱手段を動作させることができ、エネルギー効率の低下を防止することができる。また、本発明の熱源装置は、貯留予定量が貯留手段の貯留容量に比べて十分少ない場合は目標貯留量の調整を行わないまま加熱手段が動作しても加熱手段において発生した余剰の熱エネルギーを液体を介して貯留手段に貯留しておくことができる。従って、本発明の熱源装置は、貯留予定量の多少にかかわらず加熱装置において発生した熱エネルギーを有効利用できる。
【００２２】
上記したように貯留予定量が貯留手段の貯留容量に近い場合は、排出動作モードで排出されると想定される貯留予定量に比べて目標貯留量が少なくても、排出動作モードでの動作開始前あるいは動作開始後に加熱手段を動作させて高温の液体を貯留手段に補充すれば目標貯留量調整動作に伴う高温の液体の貯留量不足を解消できる可能性が高い。また逆に、貯留予定量が貯留手段の貯留容量に比べて十分少ない場合は、排出動作モードで排出されると想定される貯留予定量に比べて目標貯留量を少なく設定すると、排出動作モードにおいて高温の液体が不足してしまう可能性がある。本発明の熱源装置は、貯留予定量が貯留手段の貯留容量に近い場合に限って目標貯留量調整動作を行い、目標貯留量を貯留予定量よりも少なく設定するものであるため排出動作モードの際に高温の液体が不足するといった不具合が発生しない。
【００２３】
請求項５に記載の発明は、目標貯留量調整動作が、条件（１）において行われると予測されている負荷動作モードでの動作に伴って発生すると想定される熱エネルギー量が所定の調整基準エネルギー量以上であることを条件として行われる動作であり、調整基準エネルギー量が、前記負荷動作モードにおいて本来であれば負荷端末に供給されるべき液体が貯留手段に導入されたと仮定した場合に、当該液体の導入に伴って貯留手段の外部に排出される液体が持つ熱エネルギー以上であることを特徴とする請求項１乃至４のいずれかに記載の熱源装置である。
【００２４】
上記した構成の熱源装置では、予測に反して負荷動作モードによる動作が行われないこととなった状態で、負荷動作モードで使用されるはずであった液体を貯留手段に導入してもエネルギー損が発生しない。従って、本発明によれば、予測に反して負荷動作モードによる動作が行われないこととなっても、加熱手段の動作を継続させ、これにより発生した熱エネルギーを有効利用できる。
【００２５】
請求項６記載の発明は、加熱手段が、以下の条件（１）および（２）のうち（１）のみを満足することを動作禁止条件とし、以下の（２）を満足することを条件として動作が許可されることを特徴とする請求項１乃至５のいずれかに記載の熱源装置である。
（１）  貯留手段に貯留されている所定温度以上の液体の残量が所定量以上である。
（２）  （１）の状態において負荷動作モードでの動作開始要求があり、当該動作開始要求に伴って負荷動作モードでの動作を開始すると仮定した場合に、負荷端末に供給される液体の熱エネルギー量が所定の解除基準エネルギー量を超えるものと想定される。
【００２６】
また、同様の知見に基づいて提供される請求項７に記載の発明は、液体を加熱する加熱手段と、当該加熱手段において発生した熱エネルギーを液体を介して貯留する貯留手段と、前記加熱手段において加熱された液体を介して熱エネルギーの供給を受けて動作する負荷端末と、制御手段とを具備し、加熱手段において所定温度に達するまで加熱された液体を貯留手段に貯留する貯留動作モードと、貯留手段に貯留されている液体を外部に排出する排出動作モードと、加熱手段を動作させつつ、当該加熱手段において加熱された液体を負荷端末に供給する負荷動作モードとを含む複数の動作モードから一又は複数の動作モードを選択して動作可能であり、制御手段が、過去における熱負荷の変動に基づいて将来の熱負荷の変動を予測する予測動作を行うものであり、加熱手段が、以下の条件（１）および（２）のうち（１）のみを満足することを動作禁止条件とし、以下の（２）を満足することを条件として動作が許可されることを特徴とする熱源装置である。
（１）  貯留手段に貯留されている所定温度以上の液体の残量が所定量以上である。
（２）  （１）の状態において負荷動作モードでの動作開始要求があり、当該動作開始要求に伴って負荷動作モードでの動作を開始すると仮定した場合に、負荷端末に供給される液体の熱エネルギー量が所定の解除基準エネルギー量を超えるものと想定される。
【００２７】
本発明の熱源装置では、貯留手段に貯留されている所定温度以上の液体の残量が所定量を越えている状態で加熱手段が動作しても、加熱手段において加熱された高温の湯水を貯留手段に貯留できず、熱エネルギーを浪費することとなる可能性があるため、所定温度以上の液体の残量が所定量以上であることを加熱手段の動作禁止条件としている。ここで、上記したように、加熱手段において加熱された湯水は、貯留手段に貯留される以外に、負荷端末に供給される場合もある。そのため、本発明の熱源装置は、負荷動作モードで作動する場合であっても、これにより消費される熱エネルギー量がある程度のエネルギー量を超える場合には、貯留手段への所定温度以上の液体の流入量が減少したり殆ど流入しなくなるものと想定される。
【００２８】
かかる知見に基づき、本発明の熱源装置では、負荷動作モードで動作することが予測され、これにより消費される熱エネルギー量が所定の解除基準エネルギー量を超えると想定される場合に上記した動作禁止条件を解除して加熱手段を動作させる構成としている。従って、本発明の熱源装置は、貯留手段に所定温度以上の液体を貯留する余裕がない状態であっても熱エネルギーを浪費することなく加熱手段を動作させることができ、負荷動作モードによる動作を継続できる。
【００２９】
上記したように、本発明の熱源装置は、貯留手段に所定温度以上の液体を貯留する余裕がない場合であっても、負荷動作モードでの動作により消費される熱エネルギー量が解除基準エネルギー量を超えるものと想定されることを条件として加熱手段の動作を継続させることができる。そのため、本発明によれば、加熱手段の起動、停止の頻度を最小限に抑制し、これに伴うエネルギーロスを低減できる。
【００３０】
また、本発明の熱源装置は、負荷動作モードにおいて消費される熱エネルギー量が解除基準エネルギー量を超える場合、すなわち負荷端末における熱エネルギーの需要が高いと想定される場合における加熱手段の起動、停止の頻度が少ない。そのため、本発明の熱源装置では、負荷動作モードでの動作時に貯留手段に貯留されている所定温度以上の液体の多少にかかわらず負荷端末に加熱手段において加熱された液体が殆ど途切れることなく供給される。従って、本発明によれば、負荷端末の使用感を損なうことなく動作可能な熱源装置を提供できる。
【００３１】
上記請求項６又は７に記載の熱源装置において、解除基準エネルギー量は、加熱手段を作動させることによって発生する熱エネルギー量であることが望ましい。（請求項８）
【００３２】
請求項１乃至８のいずれかに記載の熱源装置において、加熱手段は、排熱を利用して湯水を加熱するものであってもよい。（請求項９）
【００３３】
かかる構成によれば、エネルギー効率に優れた熱源装置を提供できる。
【発明の効果】
【００３４】
本発明によれば、加熱手段の起動や停止の頻度が低く、エネルギー効率の高い熱源装置を提供できる。
【発明を実施するための最良の形態】
【００３５】
続いて、本発明の一実施形態である熱源装置について図面を参照しながら詳細に説明する。図１において、１は本実施形態の熱源装置である。熱源装置１は、湯水を貯留する貯留タンク２（貯留手段）を備えた貯留型の熱源装置であり、貯留タンク２に、給水・給湯系統３および貯留・暖房系統５を接続した構成となっている。また、貯留型熱源装置１は、湯水や熱媒体の加熱制御等の一連の動作を制御する制御手段６を具備している。
【００３６】
貯留タンク２は、湯水や不凍液等の熱媒体を貯留可能なものであり、本実施形態では湯水が貯留されている。貯留タンク２は、内径がＤで高さがＡの円筒形状をした筒体である。貯留タンク２は、熱媒体を介して熱エネルギーを貯留する熱エネルギーの貯留手段として機能する。
【００３７】
貯留タンク２は、熱源装置１の設置直後等を除けば、通常湯水で満杯の状態として使用されるものである。貯留タンク２は、底部に設けられた入水口１０から湯水を導入することにより頂部側に溜まっている湯水を出水口１２から押し出すことができる。貯留タンク２内の湯水は、底部に設けられた出水口１８から排出され、貯留タンク２の外部に配された加熱手段２４等で加熱され、頂部の入水口１９から貯留タンク２に戻る。そのため、貯留タンク２内に貯留される湯水は、貯留タンク２の頂部側から底部側に向かう方向に低温となる温度成層を形成する。
【００３８】
貯留タンク２の側方には、内部に貯留されている熱媒体の温度を直接的あるいは間接的に検知する温度センサ４（温度検知手段）が上下方向に４つ設置されている。温度センサ４は、貯留タンク２に貯留されている熱媒体の温度を所定容量毎に検知可能な位置に設置されており、熱媒体の温度を検知する温度検知手段として機能すると共に、貯留タンク２内に貯留されている所定の温度の熱媒体の容量を検知する容量検知手段としても機能する。すなわち、貯留タンク２内には湯水の温度成層が形成されるため、例えば温度センサ４ａ，４ｂによって検知された湯水の温度がａ度であり、温度センサ４ｃによって検知された湯水の温度がｂ度（ａ＞ｂ）であり、貯留タンク２の頂部から温度センサ４ｂまでの高さをＡ１とした場合、貯留タンク２内にはａ度以上の湯水が貯留タンク２の頂部から温度センサ４ｂまでの容量である（Ｄ／２）2×π×Ａ１に相当する容量だけ貯留されていることとなる。
【００３９】
貯留タンク２は、上記したように底部側に入水口１０と出水口１８とを有し、頂部側に出水口１２と入水口１９を有する。入水口１０および出水口１２には、給水・給湯系統３が接続されており、出水口１８および入水口１９には貯留・暖房系統５が接続されている。
【００４０】
給水・給湯系統３は、図１に示すように、給水配管７と、貯留タンク２の頂部側に接続された給湯配管８とから構成されている。給水配管７は、外部の給水源から湯水を供給するものであり、貯留タンク２の底部側に設けられた入水口１０に接続されている。給水配管７の中途には、入水温度検知手段１１が設置されている。また、給湯配管８は、貯留タンク２の頂部に設けられた出水口１２に接続された配管である。給湯配管８は、貯留タンク２内に貯留されている湯水を給湯栓１３に向けて供給するための配管である。給湯配管８の中途には、給湯栓１３における出湯量を検知するための給湯量検知センサ１５が設けられている。
【００４１】
貯留・暖房系統５は、貯留循環流路１６と負荷循環流路１７とによって構成されている。貯留循環流路１６は、貯留タンク２の底部に設けられた出水口１８と頂部に設けられた入水口１９とを繋ぐ配管であり、出水口１８から吸い出した湯水を入水口１９側に戻す循環流路である。すなわち、貯留循環流路１６は、出水口１８側から入水口１９側に向けて湯水が流れる流路である。貯留循環流路１６は、湯水の流れ方向上流側、すなわち出水口１８側から順に循環ポンプ２０、加熱手段２４、補助熱源２１、貯湯温度センサ２２、分配弁２３および貯湯流量センサ２５が配された構成を有する。貯留循環流路１６は、出水口１８から循環ポンプ２０に至る貯留上流管路２６と、循環ポンプ２０から分配弁２３に至る貯留中流管路２７と、分配弁２３から貯留タンク２の入水口１９に至る貯留下流管路２８とに大別される。
【００４２】
循環ポンプ２０は、湯水を貯留循環流路１６の上流側から吸い込み、下流側（補助熱源２１側）に向けて湯水を排出するポンプである。また、補助熱源２１は、貯留循環流路１６内を流れる湯水を加熱するためのものであり、例えば従来公知の給湯装置等を採用することができる。補助熱源２１は、湯水の加熱能力が加熱手段２４よりも高く、主として貯留タンク２に貯留されている高温の湯水の量が必要量よりも多い場合に使用されるものである。
【００４３】
加熱手段２４は、ガスエンジンや燃料電池等のような発電デバイス等の作動に伴って発生する排熱を利用して湯水を加熱するものやヒートポンプ等が採用されている。加熱手段２４は、暖機運転等の予備運転を必要とし、所定のエネルギー効率を発揮するまでに所定の期間を要する。すなわち、加熱手段２４は、起動以後の平均エネルギー効率が所定のレベルに達するまでに所定の期間を要する。従って、加熱手段２４は、起動や停止を繰り返すよりも起動後所定の期間が経過するまで運転を継続させる方が平均エネルギー効率が高い。
【００４４】
加熱手段２４の動作は制御手段６により制御されており、所定の条件を満たした際に動作する構成とされている。さらに具体的には、加熱手段２４は、基本的には貯留タンク２に高温の湯水が所定量以上貯留されていることを条件として動作を停止する構成とされている。すなわち、貯留タンク２内に高温の湯水が十分貯留されている場合は、加熱手段２４の動作に伴って排熱が発生し、この排熱により湯水を加熱しても、この湯水を貯留タンク２に貯留することができず、熱エネルギーの浪費に繋がる可能性が高い。そのため、本実施形態の熱源装置１では、貯留タンク２に高温の湯水が所定量以上貯留されている場合は、基本的に制御手段６が加熱手段２４を停止させる構成とされている。
【００４５】
一方、熱源装置１において、貯留タンク２に既に所定温度の湯水が所定量だけ貯留されている場合は、所定温度以上の湯水をこれ以上貯留できない場合や、加熱手段２４において加熱された湯水と貯留タンク２に貯留されている湯水との置換が起こるとエネルギー的に損をするものと想定される。すなわち、貯留タンク２に既に所定温度の湯水が所定量だけ貯留されている場合は、貯留タンク２に高温の湯水を貯留しておく余裕がなく、加熱手段２４を動作させて高温の湯水を発生させてもエネルギー損が発生するおそれがある。しかし、貯留タンク２に高温の湯水を貯留する余裕がない場合であっても、負荷端末３０が運転を行う場合であって、負荷端末３０に単位時間当たりに供給すべき湯水の量が加熱手段２４によって単位時間当たりに加熱可能な湯水の量以上である場合はエネルギー損が発生しない。そのため、加熱手段２４は、貯留タンク２に高温の湯水が所定量以上貯留されている場合であっても、負荷端末３０において消費される熱エネルギー量が加熱手段２４の加熱能力よりも大きいことを条件として動作を継続する。換言すれば、加熱手段２４は、単位時間当たりに負荷端末３０において消費される所定温度以上の湯水の消費量が、単位時間当たりに加熱手段２４によって所定温度以上に加熱可能な湯水の量よりも多ければ、貯留タンク２に貯留されている高温の湯水の量、すなわち貯留タンク２に貯留されている熱エネルギー量の大小にかかわらず動作を継続する。
【００４６】
貯湯温度センサ２２は、補助熱源２１および加熱手段２４において加熱された湯水の温度を検知するものである。また、分配弁２３は、貯留循環流路１６内を流れる湯水を貯留タンク２側に戻る湯水と、負荷循環流路１７側に向かう湯水とに分配するためのものである。貯湯流量センサ２５は、分配弁２３よりも湯水の流れ方向下流側に配されている。貯湯流量センサ２５は、分配弁２３を通過し、貯留タンク２側に戻る湯水の量を検知するために設置されたものである。
【００４７】
負荷循環流路１７は、負荷往き管路３１と、負荷戻り管路３２とを有し、貯留循環流路１６を構成する貯留中流管路２７と組み合わさって循環流路を形成したものである。負荷往き管路３１は、負荷端末３０に対して湯水を供給する管路であり、貯留中流管路２７の下流側に配された分配弁２３に接続されている。負荷戻り管路３２は、負荷端末３０から排出される湯水が流れる管路であり、貯留中流管路２７の循環ポンプ２０よりも上流側に接続されている。負荷循環流路１７は、貯留中流管路２７内を流れ、分配弁２３において分配された湯水が流れ、負荷端末３０において熱エネルギーを放出した湯水を貯留中流管路２７に配された循環ポンプ２０よりも上流側に戻す循環流路である。
【００４８】
制御手段６は、熱源装置１の動作全般を司るものであり、ＣＰＵを中心として構成される。制御手段６は、ＣＰＵに加えて、ＲＡＭ、ＲＯＭ、Ｉ／Ｏポート、および、アナログのセンサ信号をデジタル信号に変換するＡ／Ｄ変換回路、あるいは、生成されたデジタル制御信号をアナログ制御信号に変換するＤ／Ａ変換回路などを備えている。制御手段６は、温度センサ４（４ａ〜４ｄ）や入水温度検知手段１１、貯湯温度センサ２２の検知温度や、給湯量検知センサ１５や貯湯流量センサ２５の検知流量、スイッチの切換信号等を参照し、循環ポンプ２０や補助熱源２１を動作させるものである。制御手段６は、制御に用いる各種の判別基準値を予めＲＯＭに格納しており、ＣＰＵで上記した各検知手段の検知信号を随時参照し、所定のプログラムに従って処理を行う。
【００４９】
熱源装置１は、貯留タンク２内に高温の湯水を貯留する貯留動作（貯留動作モード）と、給湯栓１３から湯水を排出する給湯動作（排出動作モード）と、負荷端末３０に対して湯水を供給する暖房動作（負荷動作モード）とを行うことができる。熱源装置１は、貯留動作、給湯動作、暖房動作の各動作を単独で行うことも、複合させて行うこともできる。以下、熱源装置１が貯留動作、給湯動作、暖房動作を行う場合の湯水の流れについて説明する。
【００５０】
熱源装置１が貯留動作を単独で行う場合、制御手段６は、分配弁２３の開度調整を行い、貯留循環流路１６内を流れる湯水が負荷往き管路３１側へ流れ込むのを防止する。制御手段６は、分配弁２３の開度調整とほぼ同時に循環ポンプ２０を起動し、貯留タンク２内の湯水を底部に設けられた出水口１８から貯留循環流路１６の貯留上流管路２６に吸い出すと共に加熱手段２４を起動する。これに伴い、貯留タンク２底部から吸い出された湯水は加熱手段２４において加熱され、貯留タンク２の頂部側に戻される。
【００５１】
ここで、貯留動作において貯留循環流路１６における湯水の流れは緩やかである。さらに、加熱手段２４において加熱された湯水は、貯留タンク２内の湯水に対して十分高温であり、温度差を有する。そのため、貯留動作を行うと、加熱手段２４において加熱された高温の湯水によって構成される高温層Ｈと、貯留タンク２内に残留している低温の湯水によって構成される低温層Ｌとがごく僅かな混合層Ｍを挟んで上下方向に層状に蓄積される。これにより、貯留タンク２の内部には、底部から頂部に向けて高温になる温度成層が形成される。
【００５２】
貯留動作が進行すると、貯留タンク２の頂部側に蓄積される高温層Ｈの容量が徐々に増加していく。制御手段６は、貯留タンク２に設置された温度センサ４ａ〜４ｄの検知温度に基づいて高温層Ｈの容量が所定量Ｐに達したかを確認する。さらに具体的には、例えば貯留タンク２の頂部から温度センサ４ｂが設置された位置までの空間に貯留される湯水の量が所定量Ｐに相当する場合、制御手段６は、温度センサ４ｂの検知温度が高温層Ｈの湯水の温度であることを条件として貯留タンク２内に高温の湯水が所定量Ｐだけ貯留されたものと判断する。制御手段６は、貯留タンク２内における高温層Ｈの蓄積量が所定量Ｐに達すると循環ポンプ２０および補助熱源２１の動作を順次停止し、貯留動作を完了する。
【００５３】
続いて、熱源装置１が給湯動作を行う場合の動作について説明する。熱源装置１が給湯動作を行う場合は、上記した貯留動作によって予め貯留タンク２内に貯留されている湯水が排出される。さらに具体的には、給湯動作を行う場合、熱源装置１には給水配管７および入水口１０を介して外部の給水源から貯留タンク２の底部に低温の湯水が供給される。これに伴い、貯留タンク２内に貯留されている湯水が上方側に押し上げられ、頂部側に貯留されている高温層Ｈを構成する湯水が出水口１２を介して給湯配管８側に排出される。貯留タンク２から排出された高温の湯水は、給湯配管８を通過し、給湯栓１３から排出される。
【００５４】
熱源装置１が暖房動作を単独で行う場合、制御手段６は、負荷循環流路１７内を流れる湯水が貯留下流管路２８側に流れ込まないように分配弁２３の開度調整を行う。これにより、負荷往き管路３１、負荷戻り管路３２および貯留中流管路２７からなる循環流路が形成される。
【００５５】
分配弁２３の開度調整が完了すると、制御手段６は、循環ポンプ２０を起動して負荷循環流路１７内に湯水を流す。その後、制御手段６は、加熱手段２４を起動する。負荷循環流路１７内を流れる湯水は、加熱手段２４において加熱され、負荷端末３０に供給される。
【００５６】
熱源装置１は、上記した貯湯動作、給湯動作および暖房動作をそれぞれ単独で行うことができると共に、必要に応じてこれらの動作を複合させて行うことができる。さらに具体的には、熱源装置１は、貯湯動作と給湯動作を組み合わせて行う貯・給複合動作、貯湯動作と暖房動作とを複合的に行う貯・暖複合動作、給湯動作と暖房動作とを複合させて行う給・暖複合動作、貯湯動作と給湯動作と暖房動作とを複合させて行う貯・給・暖複合動作を行うことも可能である。
【００５７】
貯・給複合動作を行う場合、熱源装置１は、上記した貯湯動作と給湯動作とを平行して行う。すなわち、貯・給複合動作を行う場合、貯留タンク２には、給水配管７を介して外部の給水源から低温の湯水が導入される。貯留タンク２の頂部側に貯留されている高温の湯水は、貯留タンク２の底部から湯水が導入されることによって出水口１２から押し出される。出水口１２から押し出された高温の湯水は、給湯配管８を介して給湯栓１３に供給され排出される。
【００５８】
一方、貯・給複合動作が開始されると、制御手段６は、負荷往き管路３１方向への湯水の流れを阻止するように分配弁２３を調整する。その後、制御手段６は、循環ポンプ２０と加熱手段２４とを起動する。これにより、貯留タンク２の底部に存在する低温の湯水が吸い出され、加熱された状態となって貯留タンク２の頂部側に戻される。
【００５９】
熱源装置１が貯・暖複合動作を行う場合、制御手段６は、上記した貯留動作や暖房動作を単独で行う場合と同様に循環ポンプ２０と加熱手段２４を起動して湯水の加熱を行う。ここで、貯・暖複合動作を行う場合は、分配弁２３の開度調整が貯留動作や暖房動作を単独で行う場合と異なる。すなわち、貯・暖複合動作を行う場合、制御手段６は、分配弁２３の開度調整を行うことにより、補助熱源２１において加熱された高温の湯水の一部を負荷往き管路３１を介して負荷端末３０に供給し、残部を貯留下流管路２８を介して貯留タンク２に供給する。ここで、貯留タンク２に対して供給される湯水と、負荷端末３０に対して供給される湯水の分配比は、分配弁２３の開度調整により調整される。
【００６０】
また、給・暖複合動作では、上記した給湯動作と暖房動作とが平行して行われる。すなわち、給・暖複合動作では、給水配管７を介して貯留タンク２の底部側に低温の湯水が導入される。貯留タンク２の頂部側に存在する高温の湯水は、貯留タンク２の底部側に流入した低温の湯水によって押し上げられ、頂部側に設けられた出水口１２から排出される。
【００６１】
一方、給・暖複合動作では、上記した暖房動作の場合と同様に分配弁２３が貯留下流管路２８側に湯水が流れ込まないように調整され、貯留中流管路２７および負荷往き管路３１側に開いた状態とされる。その後、循環ポンプ２０および補助熱源２１が起動される。これにより、負荷端末３０に補助熱源２１において加熱された高温の湯水が供給される。
【００６２】
貯・給・暖複合動作では、上記した貯湯動作、給湯動作、暖房動作が平行して行われる。貯・給・暖複合動作では、給水配管７を介して外部の給水源から貯留タンク２の底部に湯水が導入された低温の湯水により貯留タンク２の頂部に蓄積された高温の湯水が押し出され、給湯栓１３から排出される。一方、貯・給・暖複合動作が開始されると、制御手段６は、循環ポンプ２０および加熱手段２４を起動する。これと平行して、制御手段６は、分配弁２３の開度調整を行い、貯留中流管路２７から貯留下流管路２８側および負荷往き管路３１側に流入する湯水の分配比を調整する。これにより、補助熱源２１において加熱された湯水の一部が負荷端末３０に供給されると共に、残部が貯留タンク２側に供給される。
【００６３】
熱源装置１は、制御手段６が過去における動作モードの推移に基づいて将来における動作状況を予測する予測動作を行う。さらに具体的には、制御手段６は、過去の熱源装置１の動作状況を給湯動作、暖房動作および貯湯動作に分けて記憶し、この記憶情報に基づいて将来の熱源装置１の動作を予測する。
【００６４】
ここで、本実施形態の熱源装置１は、給湯動作において単位時間当たりに消費される熱エネルギー量が、暖房動作において単位時間当たりに消費される熱エネルギーよりも大きい。加熱手段２４の動作によって発生する熱エネルギー量は、暖房動作において単位時間当たりに消費される熱エネルギーに相当する程度であり、給湯動作において消費される熱エネルギー量よりも小さい。そのため、熱源装置１は、給湯動作が行われると予測される場合は、基本的にこれに先立って上記した貯留動作や、貯留動作を含む複合動作を行うことにより給湯動作において必要とされる熱エネルギーを貯留タンク２に予め貯留しておき、暖房動作を行う際は加熱手段２４を動作させて発生する熱エネルギーを使用する構成とされている。そして、突発的な給湯動作があった場合のように貯留タンク２に貯留されている高温の湯水が給湯動作に必要な量に達しない場合は、上記した貯・給複合動作や貯・給・暖複合動作のように給湯動作と平行して貯留動作を行う構成とされている。
【００６５】
上記したように、本実施形態の熱源装置１は、制御手段６によって行われる予測動作の結果に基づいて加熱手段２４の動作を動作させたり、貯留タンク２に貯留する湯水の貯留量の調整を行うことにより、エネルギー効率の改善を図っている。しかし、熱源装置１の実際の使用形態が制御手段６による予測と異なる状態となると、加熱手段２４がむやみに起動や停止を繰り返すこととなったり、高温の湯水が過剰に発生することとなり、エネルギー効率が低下してしまうおそれがある。従って、熱源装置１において加熱手段２４の起動や停止に伴うエネルギーロスを最小限に抑制するためには、暖房動作が予想に反して行われなくなった場合であっても加熱手段２４の動作を継続させ、これによって発生した熱エネルギーを有効利用することが望ましい。
【００６６】
熱源装置１は、予想に反して暖房動作が行われなくなった場合に加熱手段２４の動作を継続させると、暖房動作に使用されるべき高温の湯水が発生する。そのため、予想に反して暖房動作が行われないこととなった場合にもエネルギー効率を高レベルに維持するためには、本来であれば暖房動作に使用されるはずであった高温の湯水を貯留タンク２に貯留した場合であってもエネルギー的に損失が発生しない状態としておく必要がある。すなわち、暖房動作が予想に反して行われなくなった時に、貯留タンク２内に所定温度以上の湯水が大量に存在する場合は、加熱手段２４の動作に伴って発生した湯水を貯留タンク２に貯留できず、大きなエネルギーロスに繋がる可能性が高い。そのため、給湯動作に先駆けて暖房動作が開始されると予測される場合は、給湯動作に備えて行われる貯湯動作において貯留タンク２に貯留される湯水の量を減少させておくことが望ましい。かかる知見に基づき、熱源装置１では、給湯動作の開始前までに暖房動作が開始されることを条件の一つとして貯湯動作における目標貯湯量Ｔを調整する目標貯湯量調整動作を行う構成とされている。
【００６７】
熱源装置１は、貯留タンク２に加熱手段２４で加熱された湯水を貯留する余裕がない場合は、基本的に加熱手段２４を停止させる構成とされている。すなわち、熱源装置１では、貯留タンク２に所定温度以上の湯水が所定量以上貯留されていることを加熱手段２４の動作禁止条件としている。さらに具体的には、熱源装置１は、基本的に貯留タンク２が所定温度以上の湯水で満杯となっていることを条件として加熱手段２４を作動させない構成とされている。
【００６８】
しかし、上記したように加熱手段２４は、起動直後におけるエネルギー効率が比較的低く、所定のエネルギー効率を達成するためにはある程度の時間に渡って運転を継続する必要がある。そこで、熱源装置１では、貯留タンク２が所定温度以上の高温の湯水で満たされている場合であっても、暖房動作が行われることを条件として上記した動作禁止条件を解除して加熱手段２４を作動させる禁止条件解除動作を行う。以下、本実施形態の熱源装置１に特有の動作である目標貯留量調整動作と、禁止条件解除動作について詳細に説明する。
【００６９】
（目標貯留量調整動作）
制御手段６は、上記したようにして行われる予測動作の結果に基づいて貯留動作における目標貯湯量Ｔを設定する。さらに詳細には、制御手段６は、貯留動作の完了後に行われる予定の給湯動作において貯留タンク２から排出される排出予定量（以下、給湯予定量Ｑと称す）に基づいて貯湯予定量Ｓを設定し、この貯湯予定量Ｓに基づいて目標貯湯量Ｔを設定する。さらに具体的には、例えば給湯動作において、貯留タンク２から排出される湯水をそのまま給湯栓１３に供給する場合は、給湯予定量Ｑを貯湯予定量Ｓと同一としたり、給湯動作において予想以上に湯水が使用される場合を想定して給湯予定量Ｑを貯湯予定量Ｓよりも多く設定する構成とすることが可能である。また、例えば、貯留タンク２から排出される湯水を外部の給水源から供給された低温の湯水と混合して湯温調整した後に給湯栓１３から湯水を出す構成とした場合は、この混合比率や給水温度等を考慮し、給湯予定量Ｑにあわせて貯湯予定量Ｓの調整（目標貯留量調整動作）が行われる。
【００７０】
目標貯湯量Ｔは、加熱手段２４が起動や停止を繰り返すことによるエネルギー効率の低下を防止すべく、予想動作により暖房動作が行われるものと予想したにもかかわらず暖房動作が行われなかった場合にも加熱手段２４をむやみに停止しなくてもよいように設定される。
【００７１】
さらに具体的に説明すると、予測動作による予測結果が下記（１）および（２）に示す条件の双方を満たす場合に目標貯湯量調整動作を行う。
（１）  給湯動作の開始前までに暖房動作が開始されることが予測される。
（２）（１）で予測される暖房動作において本来であれば負荷端末３０に供給される予定の高温の湯水を負荷端末３０に供給せず貯湯タンク２に貯留すると仮定した場合に、貯湯タンク２においてエネルギーの貯留限界を超えるものと予測される。
【００７２】
すなわち、上記（２）は、（１）で予測される暖房動作を行ったと仮定した場合に、給湯動作の開始前までに消費されると想定される湯水が持つ熱エネルギー量が、当該湯水を貯留タンク２に導入することにより貯留タンク２の外部に排出される湯水が持つ熱エネルギー量（調整基準エネルギー量）以上であることを条件とするものである。
【００７３】
さらに具体的に説明すると、図２に示すパターンＡや図３に示すパターンＢに示す動作パターンのように、給湯動作の開始までの間に暖房動作が開始されないものと想定される場合は、上記（１）の条件に合致しない。この場合、パターンＡでは暖房動作自体が行われないため、予期せぬ暖房動作の停止に伴って高温の湯水が余剰に発生するといった不具合が起こらない。また、パターンＢのように暖房動作が行われる場合は、給湯動作の開始後であれば予想動作による予想に反して暖房動作が行われなくなった際に加熱手段２４を動作させても、これによって発生した湯水を貯留タンク２に貯留することができる。すなわち、加熱手段２４の動作に伴って貯留タンク２に所定温度以上の湯水が溜まる貯湯速度が給湯動作に伴う湯水の排出速度よりも遅い。そのため、給湯動作中に不意に暖房動作が行われなくなっても、加熱手段２４の運転を継続させ、これにより発生する湯水を貯留タンク２に貯留できる。従って、上記（１）の条件に合致しないパターンＡやパターンＢに示すような動作予測がなされた場合、制御手段６は、目標貯湯量Ｔを給湯予定量Ｑに基づいて導出される貯湯予定量Ｓに設定する。
【００７４】
一方、図４に示すパターンＣや図５に示すパターンＤ、図６に示すパターンＥのように、給湯動作の開始前に暖房動作が開始されるものと想定される場合は、上記（１）の条件を満たす。これらの場合は、予測に反して暖房動作が行われなかったり、暖房動作において消費される熱エネルギー量が予測よりも少ない状態となると、加熱手段２４の運転を継続することにより余剰の熱エネルギーが発生することとなる。
【００７５】
この場合、本来であれば暖房動作に使用されるべきであった加熱された湯水が発生する。ここで、加熱手段２４の動作に伴って発生した余剰の湯水を貯留タンク２に貯留されている湯水と置換してもエネルギー損が発生しない場合は、加熱手段２４において発生した熱エネルギーを湯水を介して貯留タンク２に貯留しておける。さらに詳細には、加熱手段２４によって加熱された単位体積当たりの湯水が持つ熱エネルギーｑ１に対して、この湯水を貯留タンク２に導入した際にこれと置換される湯水の持つ単位体積当たりの熱エネルギー量ｑ２が小さい場合（ｑ１＞ｑ２）は、加熱手段２４によって加熱された湯水を貯留タンク２に貯留しても熱エネルギーの浪費に繋がらない。すなわち、暖房動作において負荷端末３０に供給されると想定される湯水の量が、貯留タンク２の容量から貯留予定量を差し引いた量よりも少ない場合は、前記したようなエネルギーの浪費が発生しない。
【００７６】
しかし、上記（２）のように、暖房動作において給湯動作の開始前までに消費されると想定される熱エネルギー量が、貯留タンク２に湯水を介して貯留可能な熱エネルギー量以上である場合、上記したパターンＡ，Ｂの場合と同様に目標貯湯量Ｔを貯湯予定量Ｓに設定すると熱エネルギーの浪費が起こる可能性が高い。すなわち、図４〜図６に示すパターンＣ〜Ｄのように熱源装置１が動作すると予測される場合、暖房動作の予測が外れ、暖房動作が予測通り行われた際に負荷端末３０に供給される予定の湯水を負荷端末３０に供給せず、貯留タンク２に貯留すると仮定した場合に、エネルギー損が発生するものと予測される。そこで、上記（１）および（２）の双方の条件に当てはまる場合、制御手段６は、目標貯湯量Ｔを貯湯予定量Ｓよりも調整量（調整貯湯量）αだけ少ない（Ｓ−α）に設定する目標貯留量調整動作を行う。
【００７７】
ここで、暖房動作の開始から給湯動作の開始までの間における暖房動作の予想継続時間をｔ１、この予想継続時間ｔ１に渡って加熱手段２４を動作させた際に発生する所定温度の湯水の量をβ、加熱手段２４が起動してから停止するまでの平均エネルギー効率が所定の基準エネルギー効率を超えるのに要する時間をｔ２、この時間ｔ２に渡って加熱手段を動作させた際に発生する所定温度の湯水の量をγとした場合、調整量αおよび加熱手段の動作時間ｔは、下記の条件（Ａ），（Ｂ）に基づいて設定される。
（Ａ）  β≧γの場合  α＝β，ｔ＝ｔ１
（Ｂ）  β＜γの場合  α＝γ，ｔ＝ｔ２
【００７８】
上記したように、制御手段６は、条件（１），（２）に合致することを条件として目標貯湯量Ｔを貯湯予定量Ｓから調整量αだけ減じた（Ｓ−α）に設定する。その結果、暖房動作が予測通りに行われる場合は、貯湯動作に伴って貯湯量が図４〜図６に実線で示すように（Ｓ−α）となるまで増加する。その後、給湯動作が開始されると、制御手段６は、必要に応じて先の貯湯動作において用意できていない調整量αに相当する所定温度の湯水を補充すべくしばらくの間に渡って加熱手段２４を動作させる。
【００７９】
一方、暖房動作が予定通りに行われない場合は、貯湯動作によって発生する高温の湯水が貯留タンク２に流入すると共に、暖房動作が行われると予想されていた時間帯に本来であれば負荷端末３０において消費されるべきであった高温の湯水が貯留タンク２に流入する。これにより、図４〜図６に二点差線で示すように貯留タンク２における高温の湯水の貯留量が徐々に増加する。暖房動作の予定時間全般に渡って暖房動作が行われない場合は、図４〜図６のように暖房動作の完了予定時刻に貯留タンク２における高温の湯水の貯留量が貯湯予定量Ｓとなる。また、暖房動作の予定時刻の一部において暖房動作が行われない場合や、負荷端末３０の設定温度が低いなどの理由で暖房動作において消費される熱エネルギー量が少ない場合は、暖房動作の完了予定時刻に貯留タンク２における高温の湯水の貯留量が（Ｓ−α）以上であり、貯湯予定量Ｓに満たない程度の量となる。
【００８０】
（禁止条件解除動作）
上記した図５に示すパターンＤの場合のように、貯留動作の完了後に暖房動作が行われることが想定されている場合は、予想に反して暖房動作が行われなかった場合に備えて貯留動作における貯留量を調整量αだけ減少させておき、加熱手段２４の動作を継続させることができる。しかし、図７に示すパターンＦに二点差線で示すように、熱源装置１に対して貯留動作の完了後に予想に反して突発的に暖房動作を行いたい旨の要求が発生する場合がある。このとき、既に貯留タンク２に高温の湯水が所定量Ｗ以上（本実施形態では満杯まで）貯留されていると、上記した動作禁止条件に基づき加熱手段２４が動作せず、暖房動作を行えないといった不具合が発生する。
【００８１】
そこで、熱源装置１では、次の条件（Ｘ）のみを満足する場合は加熱手段２４の動作を停止させるが、条件（Ｙ）を満足する場合は加熱手段２４を動作させる構成としている。
（Ｘ）  貯留タンク２に貯留されている高温の湯水の残量が所定量Ｗ以上（本実施形態では満杯）である。
（Ｙ）  （Ｘ）の状態において暖房動作の動作開始要求があり、この動作開始要求に伴って暖房動作を開始すると仮定した場合に、負荷端末３０に供給される高温の湯水の熱エネルギー量が所定の解除基準エネルギー量を超えるものと想定される。
【００８２】
さらに具体的には、制御手段６は、貯留タンク２に所定温度以上の高温の湯水が所定量Ｗ以上貯留されており、この状態で制御手段６が暖房要求を検知することを条件として、この暖房動作において負荷端末３０に供給すべき湯水の単位体積当たりの熱エネルギー量ｑ３と、加熱手段２４を作動させることによって加熱される湯水の単位体積当たりの熱エネルギー量ｑ４とを導出して比較する。すなわち、本実施形態では、条件（Ｙ）の解除基準エネルギー量が加熱手段２４を作動させることによって加熱される湯水の単位体積当たりの熱エネルギー量ｑ４に設定されている。
【００８３】
上記した条件（Ｙ）を満足する場合は、加熱手段２４を動作させてもこれにより発生する熱エネルギーが全て暖房動作に使用され、熱エネルギーの無駄が発生しない。従って、制御手段６は、前記した条件（Ｙ）を満足することを条件として加熱手段２４の動作禁止条件を解除して加熱手段２４を作動させる。
【００８４】
上記したように、熱源装置１は、制御手段６による予測動作の結果、図４〜図６に示すパターンＣ〜パターンＥに示すように、後に行われる給湯動作に備えて湯水を貯留する貯湯動作の完了時を基準として所定の期間、換言すれば給湯動作の開始前までに暖房動作が行われるという予測が立った際に目標貯湯量調整動作を行い、貯湯動作における目標貯湯量Ｔを減少させる構成とされている。そのため、熱源装置１は、予定されていた暖房動作が不意に行われなくなっても加熱手段２４の動作を継続させることができ、加熱手段２４の起動や停止に伴うエネルギーロスが発生しない。
【００８５】
また、熱源装置１は、上記（２）に示す条件、すなわち暖房動作において負荷端末３０に供給されると想定される湯水の量が、貯留タンク２の容量から貯湯予定量Ｓを差し引いた量よりも少ないことを目標貯湯量調整動作を行うための条件としている。すなわち、熱源装置１では、暖房動作が不意に行われないこととなった際に発生する湯水を貯留タンク２に貯留するとエネルギーロスが発生すると想定される場合に限って目標貯湯量調整動作が行われ、目標貯湯量Ｔが少なく、目標貯湯量調整動作を行うと給湯動作においていわゆる湯切れと称される不具合が発生するおそれがある場合に目標貯湯量調整動作が行われない構成とされている。そのため、熱源装置１は、予想に反して暖房動作が行われない場合であっても熱エネルギーを有効利用できると共に、後の給湯動作において湯切れと称される不具合が発生しない。
【００８６】
上記したように、熱源装置１は、貯留タンク２に高温の湯水が満杯に貯留されている状態で予期せぬ暖房動作が行われることとなった際に、この暖房動作によって消費される熱エネルギー量が加熱手段２４の動作に伴って発生する熱エネルギー量以上であることを条件として加熱手段２４の動作禁止条件を解除し、加熱手段２４の動作を継続させる構成とされている。そのため、熱源装置１は、加熱手段２４の起動や停止の頻度が少なく、加熱手段２４の起動や停止に伴うエネルギーロスが少ない。また、熱源装置１は、暖房動作において消費されるエネルギー量が多い場合、すなわち負荷端末３０における熱エネルギーの需要が高い場合に加熱手段２４の動作を継続させ、負荷端末３０に対する高温の湯水の供給を継続できるため、エネルギー効率を高レベルに維持しつつ、負荷端末３０の使用感を損なうことなく運転できる。
【００８７】
上記実施形態では、貯湯動作が給湯動作の開始予定時刻とほぼ同時に完了する例を例示したが、本発明はこれに限定されるものではなく、貯湯動作が給湯開始予定時刻に対して多少前後してもよい。さらに、貯留タンク２に蓄えられた熱エネルギーを有効利用するためには、熱源装置１において、貯湯動作の完了時刻は、貯留タンク２に貯留されている高温の湯水を給湯動作において排出すべき湯水の温度に維持可能な程度の時間だけ給湯動作の開始予定時刻よりも遅く設定されることが望ましい。すなわち、貯湯動作の完了時刻は、貯留タンク２に貯留されている湯水が放熱しても加熱手段２４や補助熱源２１を用いて保温したり、給湯動作時に再加熱する必要がない程度の時刻に設定されることが望ましい。また、貯湯動作の完了時刻が給湯開始時刻よりも遅れる場合、この遅延時間は、給湯動作による湯水の排出速度と貯留動作による貯留タンク２への湯水の供給速度とを勘案して給湯動作に必要とされる高温の湯水が不足しない程度とされることが望ましい。
【００８８】
上記実施形態では、エンジンや燃料電池等において発生する排熱を利用して湯水を加熱する排熱加熱手段や電気ヒータ等によって構成される加熱手段２４に加えて、従来公知の給湯器のように湯水を素早く加熱可能な補助熱源２１を設けた例を例示したが、本発明はこれに限定されるものではなく、例えば補助熱源２１を具備しない構成としたり、加熱手段２４をエンジンや燃料電池、電気ヒータ等の適宜の熱源を複数組み合わせて構成されるものとしてもよい。
【００８９】
また、上記した熱源装置１は、貯留タンク２の底部側から取り出された低温の湯水を外部に配された加熱手段２４に供給して加熱し、貯留タンク２の頂部に戻すものであり、貯留タンク２の内部に湯水の温度成層が形成されるものであった。しかし、本発明はこれに限定されるものではなく、例えば前記したような湯水の循環系統を形成せず、外部において所定温度に加熱された湯水を単に貯留タンク２に貯留する構成であったり、貯留タンク２内に加熱手段２４において加熱された湯水によって熱交換加熱する熱交換器を配した構成としてもよい。
【００９０】
上記実施形態の熱源装置１は、貯留タンク２の高さ方向に所定の間隔を開けて４つの温度センサ４を設け、この温度センサ４の検知温度に基づいて所定温度の熱媒体がどれだけ貯留されているかを推算する構成であったが、温度センサ４の数は４つに限定されるものではなく、いくつであってもよい。また、熱源装置１は、貯留タンク２に流入する熱媒体の流入量の積算値に基づいて、貯留タンク２における高温の熱媒体の貯留量を導出する構成としたり、他の手法で貯留量を導出する構成としてもよい。
【図面の簡単な説明】
【００９１】
【図１】本発明の一実施形態である熱源装置の作動原理図である。
【図２】図１に示す熱源装置の動作予測と貯湯量の経時変化の第一の形態を模式的に示す概念図である。
【図３】図１に示す熱源装置の動作予測と貯湯量の経時変化の第二の形態を模式的に示す概念図である。
【図４】図１に示す熱源装置の動作予測と貯湯量の経時変化の第三の形態を模式的に示す概念図である。
【図５】図１に示す熱源装置の動作予測と貯湯量の経時変化の第四の形態を模式的に示す概念図である。
【図６】図１に示す熱源装置の動作予測と貯湯量の経時変化の第五の形態を模式的に示す概念図である。
【図７】図１に示す熱源装置の動作予測と貯湯量の経時変化の第六の形態を模式的に示す概念図である。
【符号の説明】
【００９２】
１  熱源装置
２  貯留タンク（貯留手段）
３  給水・給湯系統
５  貯留・暖房系統
６  制御手段
【図１】
2006250402.tif 000003
【図２】
2006250402.tif 000004
【図３】
2006250402.tif 000005
【図４】
2006250402.tif 000006
【図５】
2006250402.tif 000007
【図６】
2006250402.tif 000008
【図７】
2006250402.tif 000009